(57)【要約】 【課題】  設定更新を要求したユーザに対して、更新の結果を認識させ、所望の情報処理装置への再更新を促すことができる情報処理装置、情報処理プログラムおよび情報処理プログラムを記録する記録媒体を提供する。【解決手段】  省エネモードの復帰時に、識別情報取得部５２が装着しているメイン基板１１ａの識別情報格納部６０から識別情報を取得する。識別情報判定部５３は、サブ基板１１ｂの設定更新情報格納部５０に記憶されていた識別情報を取得し、これらの識別情報を比較する。２つの識別情報が一致する場合は、設定更新情報格納部５０に予め格納されている設定更新情報をメイン基板１１ａの保持情報受信部６１に送信し、設定更新情報の送信元である外部機器に対して、設定更新が完了したことを通知する。一方、識別情報が一致しない場合は、設定更新情報の送信元である外部機器に対して、設定更新が完了していないことを通知する。【選択図】      図２
2009015531.tif 000002
【特許請求の範囲】
【請求項１】
外部機器とのデータ通信を行う通信用回路基板と動作設定を行う設定用回路基板とを含む複数の回路基板を備え、前記通信用回路基板が着脱可能に構成され、複数の回路基板に電力を供給する第１動作モードと前記通信用回路基板のみに電力を供給する第２動作モードとを切り替えることができる情報処理装置であって、
前記設定用回路基板は、
他の通信用回路基板と識別可能とする識別情報を格納する識別情報格納手段と、
外部機器から送信される設定更新情報を、前記通信用回路基板を介して受信し、設定更新情報に基づいて動作設定を行う保持情報受信手段とを有し、
前記通信用回路基板は、
前記識別情報格納手段から識別情報を取得する識別情報取得手段と、
前記第２動作モード中に、設定更新情報と、更新対象の情報処理装置の識別情報とを外部機器から取得する設定更新情報取得手段と、
取得した設定更新情報と前記識別情報とを関連付けて格納する設定更新情報格納手段と、
第２動作モードから第１動作モードに切り替わったときおよび電源オンしたときに、識別情報取得手段に識別情報を取得させ、取得させた識別情報と、設定更新情報格納手段が記憶している識別情報とが一致するかどうかを判定する識別情報判定手段と、
前記識別情報判定手段の結果に基づいて、設定更新情報を前記設定用回路基板に通知する保持情報通知手段と、
予め指定した通知先に対して設定情報の更新結果を通知する更新結果通知手段とを有することを特徴とする情報処理装置。
【請求項２】
前記更新結果通知手段による通知先は、設定更新情報を送信した外部機器であることを特徴とする請求項１に記載の情報処理装置。
【請求項３】
前記更新結果通知手段による通知先は、データ通信可能な管理サーバであることを特徴とする請求項１に記載の情報処理装置。
【請求項４】
前記更新結果通知手段による通知先は、特定の常駐アプリケーションソフトをインストールしている外部機器に対して一斉通知することを特徴とする請求項１に記載の情報処理装置。
【請求項５】
前記更新結果通知手段が、前記設定更新情報を送信した外部機器、前記データ通信可能な管理サーバ、前記特定の常駐アプリケーションソフトをインストールしている外部機器のいずれに通知するかを選択する選択手段を有することを特徴とする請求項２〜４のいずれか１つに記載の情報処理装置。
【請求項６】
前記選択手段は、通知先の稼働状況に応じて、更新結果の通知先を決定する決定手段を有することを特徴とする請求項５に記載の情報処理装置。
【請求項７】
前記保持情報通知手段は、自機以外の情報処理装置に対する設定更新情報を保持していた場合、通信用回路基板が現在装着されている情報処理装置のユーザに対して、自機以外の情報処理装置に対する設定更新情報を保持していることを報知することを特徴とする請求項１に記載の情報処理装置。
【請求項８】
コンピュータを、請求項１〜７のいずれか１つに記載の情報処理装置として機能させる情報処理プログラム。
【請求項９】
コンピュータを、請求項１〜７のいずれか１つに記載の情報処理装置として機能させる情報処理プログラムを記録するコンピュータ読み取り可能な記録媒体。
【発明の詳細な説明】
【技術分野】
【０００１】
本発明は、複数の回路基板を備え、少なくとも１つの回路基板が着脱可能に構成される情報処理装置、情報処理プログラムおよび情報処理プログラムを記録する記録媒体に関する。
【背景技術】
【０００２】
パーソナルコンピュータ（以下では「ＰＣ」という）、複写機やプリンタを含む画像処理装置などの情報処理装置は、高機能化が進むにつれて消費電力も大きくなり、使用状態に応じて最小限の構成にだけ電力を供給し、大部分については電力の供給を停止するいわゆる省エネルギ（以下では「省エネ」と略称する）モードでの動作が可能となっている。
【０００３】
また、情報処理装置は、データ通信を行うためにネットワークに接続するインターフェイスを備えている。このようなインターフェイスは、複数ある回路基板のうちの小さな基板（サブ基板）に設けられていることが多くネットワークボードと呼ばれる。処理能力が高い制御用のＣＰＵ（中央演算処理装置）など多くの素子が搭載される比較的大きな基板（メイン基板）は、装置に固定されているが、サブ基板は装置から着脱可能に構成される場合がある。
【０００４】
省エネモードで動作する画像処理装置では、省エネモード中はメイン基板への電力供給は停止され、データ通信を行うサブ基板（ネットワークボード）にのみ電源供給されている構成となるものがあり、省エネモード中に画像処理装置の設定更新要求を受信した場合、その都度画像処理装置を省エネモードから復帰させて更新する必要がある。
【０００５】
設定更新要求の中には即座に省エネモードからの復帰を要する設定項目（例：ＩＰアドレスの更新）と、即座に省エネモードからの復帰を要しない設定項目（例：スキャンデータ送信先登録）とがあり、省エネモード中に後者の設定更新情報を受信した場合、サブ基板のメモリに設定更新情報を一時的に保持しておき、次の省エネモードからの復帰タイミングに合わせて、保持していた設定情報を更新する、という機能も既に提案されている。
【０００６】
特許文献１記載のデバイス管理システムは、ネットワークボードが別のプリンタに差し替えられている場合、シリアル番号に基づいて、差し替えられたことを判断すると、差し替え前のプリンタ機種名を管理サーバに通知する。管理サーバは、通知された機種名に対応する設定ファイルを差し替え後のプリンタへ送信する。
【０００７】
【特許文献１】特開２００６−６５４３２号公報
【発明の開示】
【発明が解決しようとする課題】
【０００８】
サブ基板のメモリ内に設定更新情報を保持した後、省エネモードから復帰することなく、すなわち設定情報を更新することなくサブ基板が外されて、別の情報処理装置に装着された場合、装着されていた情報像処理装置において設定の更新処理が実施されないという問題がある。さらに、情報処理装置の設定更新処理を要求したユーザにとっては、設定の更新処理が実施されたかどうかを知ることができないという問題がある。
【０００９】
本発明の目的は、設定更新を要求したユーザに対して、更新の結果を認識させ、設定が更新されていない場合には、所望の情報処理装置への再更新を促すことができる情報処理装置、情報処理プログラムおよび情報処理プログラムを記録する記録媒体を提供することである。
【課題を解決するための手段】
【００１０】
本発明は、外部機器とのデータ通信を行う通信用回路基板と動作設定を行う設定用回路基板とを含む複数の回路基板を備え、前記通信用回路基板が着脱可能に構成され、複数の回路基板に電力を供給する第１動作モードと前記通信用回路基板のみに電力を供給する第２動作モードとを切り替えることができる情報処理装置であって、
前記設定用回路基板は、
他の通信用回路基板と識別可能とする識別情報を格納する識別情報格納手段と、
外部機器から送信される設定更新情報を、前記通信用回路基板を介して受信し、設定更新情報に基づいて動作設定を行う保持情報受信手段とを有し、
前記通信用回路基板は、
前記識別情報格納手段から識別情報を取得する識別情報取得手段と、
前記第２動作モード中に、設定更新情報と、更新対象の情報処理装置の識別情報とを外部機器から取得する設定更新情報取得手段と、
取得した設定更新情報と前記識別情報とを関連付けて格納する設定更新情報格納手段と、
第２動作モードから第１動作モードに切り替わったときおよび電源オンしたときに、識別情報取得手段に識別情報を取得させ、取得させた識別情報と、設定更新情報格納手段が記憶している識別情報とが一致するかどうかを判定する識別情報判定手段と、
前記識別情報判定手段の結果に基づいて、設定更新情報を前記設定用回路基板に通知する保持情報通知手段と、
予め指定した通知先に対して設定情報の更新結果を通知する更新結果通知手段とを有することを特徴とする情報処理装置である。
【００１１】
また本発明は、前記更新結果通知手段による通知先は、設定更新情報を送信した外部機器であることを特徴とする。
【００１２】
また本発明は、前記更新結果通知手段による通知先は、データ通信可能な管理サーバであることを特徴とする。
【００１３】
また本発明は、前記更新結果通知手段による通知先は、特定の常駐アプリケーションソフトをインストールしている外部機器に対して一斉通知することを特徴とする。
【００１４】
また本発明は、前記更新結果通知手段が、前記設定更新情報を送信した外部機器、前記データ通信可能な管理サーバ、前記特定の常駐アプリケーションソフトをインストールしている外部機器のいずれに通知するかを選択する選択手段を有することを特徴とする。
【００１５】
また本発明は、前記選択手段は、通知先の稼働状況に応じて、更新結果の通知先を決定する決定手段を有することを特徴とする。
【００１６】
また本発明は、前記保持情報通知手段は、自機以外の情報処理装置に対する設定更新情報を保持していた場合、通信用回路基板が現在装着されている情報処理装置のユーザに対して、自機以外の情報処理装置に対する設定更新情報を保持していることを報知することを特徴とする。
【００１７】
また本発明は、コンピュータを、上記の情報処理装置として機能させる情報処理プログラムである。
【００１８】
また本発明は、コンピュータを、上記の情報処理装置として機能させる情報処理プログラムを記録するコンピュータ読み取り可能な記録媒体である。
【発明の効果】
【００１９】
本発明によれば、外部機器とのデータ通信を行う通信用回路基板と動作設定を行う設定用回路基板とを含む複数の回路基板を備えており、前記通信用回路基板が着脱可能に構成され、複数の回路基板に電力を供給する第１動作モードと前記通信用回路基板のみに電力を供給する第２動作モードとを切り替えることができる情報処理装置である。
【００２０】
前記設定用回路基板では、識別情報格納手段が、他の通信用回路基板と識別可能とする識別情報を格納している。また、保持情報受信手段は、外部機器から送信される設定更新情報を、前記通信用回路基板を介して受信し、設定更新情報に基づいて動作設定を行う。
【００２１】
前記通信用回路基板では、識別情報取得手段が前記識別情報格納手段から識別情報を取得する。設定更新情報取得手段は、前記第２動作モード中に、設定更新情報と、更新対象の情報処理装置の識別情報とを外部機器から取得し、設定更新情報格納手段が、取得した設定更新情報と前記識別情報とを関連付けて格納する。
【００２２】
第２動作モードから第１動作モードに切り替わったときおよび電源オンしたときに、識別情報判定手段は、識別情報取得手段に識別情報を取得させ、取得させた識別情報と、設定更新情報格納手段が記憶している識別情報とが一致するかどうかを判定する。
【００２３】
保持情報通知手段は、前記識別情報判定手段の結果に基づいて、設定更新情報を前記設定用回路基板に通知する。更新結果通知手段は、予め指定した通知先に対して設定情報の更新結果を通知する。
【００２４】
これにより、第２動作モード（省エネモード）中に格納した設定更新情報を保持した状態で、通信用回路基板が外されて、別の情報処理装置に装着された場合であっても、設定情報の更新結果が予め指定した通知先に通知されるので、もし設定が更新されていなかったとしても、設定更新を要求したユーザに対して、設定更新が実施されていないことを認識させることができ、所望の情報処理装置への設定再更新を促す効果が期待できる。
【００２５】
また本発明によれば、前記更新結果通知手段による通知先を、設定更新情報を送信した外部機器、データ通信可能な管理サーバ、特定の常駐アプリケーションソフトをインストールしている外部機器などに設定することができる。
【００２６】
また本発明によれば、前記設定更新情報を送信した外部機器、前記データ通信可能な管理サーバ、前記特定の常駐アプリケーションソフトをインストールしている外部機器のいずれに通知するかを選択することができる。
【００２７】
これにより、設定更新情報の内容によって通知先を選択することができるので、使い勝手が向上する。
【００２８】
また本発明によれば、通知先の稼働状況に応じて、更新結果の通知先を決定する。
これにより、稼動していない通知先に通知されることがないので、確実に更新結果の通知を行うことができる。
【００２９】
また本発明によれば、前記保持情報通知手段は、自機以外の情報処理装置に対する設定更新情報を保持していた場合、通信用回路基板が現在装着されている情報処理装置のユーザに対して、自機以外の情報処理装置に対する設定更新情報を保持していることを報知する。
【００３０】
これにより、本来更新されるべき情報処理装置へ設定更新情報を送信させたり、通信用回路基板を取り外して本来更新されるべき通信処理装置へ装着させたり、ユーザに対して正常な更新を行えるよう促すことができる。
【００３１】
また本発明によれば、コンピュータを、上記の情報処理装置として機能させる情報処理プログラムおよび情報処理プログラムを記録するコンピュータ読み取り可能な記録媒体として提供することができる。
【発明を実施するための最良の形態】
【００３２】
図１は、本発明の実施形態である画像処理装置１０を含む通信システム１００の構成を示す図である。
【００３３】
通信システム１００は、画像処理装置１０と、外部機器であるプリンタ２０、ＰＣ３０、サーバ４０とが通信ネットワークＮ１を介して互いにデータ通信可能に接続されている。
【００３４】
本実施の形態の画像処理装置（複合機）１０は、図１に示すように、画像処理等を実行するプリンタコントローラとなるメイン基板１１ａに対して、各種機能を追加できるようにオプション設定されるサブ基板１１ｂが設けられている。
【００３５】
なお、本実施の形態では、通信用回路基板であるサブ基板１１ｂとして、ＬＡＮ（    Local Area Network）等の通信ネットワークＮ１を介して、外部機器となるプリンタ２０、ＰＣ３０、サーバ４０とのデータ通信用インターフェイスを担うＬＡＮインターフェイス基板が設けられている。
【００３６】
設定用回路基板であるメイン基板１１ａには、各種画像処理を実行するメイン基板側ＣＰＵ１２ａ（以下、メインＣＰＵ１２ａと略称する。）と、当該画像処理のプログラムが格納された不揮発性の読み出し専用の記憶部となるフラッシュメモリ等のメイン基板側Ｆｌａｓｈメモリ１３ａ（以下、メインＦｌａｓｈ１３ａと略称する。）と、メインＣＰＵ１２ａが読み書き可能な記憶部となるＲＡＭ（Random Access Memory）等のメイン基板側メモリ１４ａ（以下、メインメモリ１４ａと略称する。）と、メインＣＰＵ１２ａから読み書き可能なレジスタを含むロジック回路等からなるメイン基板側ＡＳＩＣ（          Application Specific Integrated Circuit）１５ａ（以下、メインＡＳＩＣ１５ａと略称する。）が備わっている。
【００３７】
一方、サブ基板１１ｂには、各種動作処理をするサブ基板側ＣＰＵ１２ｂ（以下、サブＣＰＵ１２ｂと略称する。）と、当該動作処理のプログラムが格納された読み出し専用の記憶部となるフラッシュメモリ等のサブ基板側Ｆｌａｓｈメモリ１３ｂ（以下、サブＦｌａｓｈ１３ｂと略称する。）と、ＣＰＵ１２ｂが読み書きできる記憶部となるＲＡＭ等のサブ基板側メモリ１４ｂ（以下、サブメモリ１４ｂと略称する。）と、ＣＰＵ１２ｂが読み書きすることによって外部の端子に入出力できるインターフェイス回路からなるサブ基板側ＡＳＩＣ１５ｂ（以下、サブＡＳＩＣ１５ｂと略称する。）が備わっている。また、サブＡＳＩＣ１５ｂは、シリアルデータ通信するための伝送路Ｌ１を介して、メインＡＳＩＣ１５ａと接続されている。
【００３８】
画像処理装置１０は、少なくとも通常モードと省エネモードとの２つの動作モードで動作かつ切り換え可能に構成される。
【００３９】
動作モードの切り替えは、たとえば、ユーザが切り替え指示を入力したときに切り換えることもできるし、動作モード中に未処理時間が所定の時間を経過すると省エネモードに切り換えることもできる。
【００４０】
通常モードは、省エネモード以外での動作モードで、メイン基板１１ａおよびサブ基板１１ｂのいずれにも電力が供給され、画像処理、設定更新、各種データ通信などを行う。
【００４１】
省エネモードは、メイン基板１１ａへの電力供給を停止させ、通信ネットワークＮ１とのインターフェイスとしての機能を有するサブ基板１１ｂにのみ電源を供給することによって、必要最小限の部分を駆動させるように動作する。
【００４２】
通信ネットワークＮ１を介して画像処理装置１０と接続される外部機器であるプリンタ２０、ＰＣ３０およびサーバ４０は、それぞれ各種動作処理をするＣＰＵ２１、３１，４１と、その処理のプログラムが格納された読み出し専用の記憶部となるフラッシュメモリ等のＦｌａｓｈメモリ２２，３２，４２と、ＣＰＵ２１，３１，４１が読み書きできる記憶部となるＲＡＭ等のメモリ２３，３３，４３を備える。
【００４３】
図２は、画像処理装置１０の機能ブロック図であり、図３は、外部機器であるＰＣ３０の機能ブロック図である。なお、機能ブロック図は、プリンタ２０、ＰＣ３０、サーバ４０のいずれも同様であるので、ここでは、ＰＣ３０を例として説明する。
【００４４】
画像処理装置１０は、通信ネットワークＮ１を介してプリンタ２０、ＰＣ３０、サーバ４０からたとえば印刷ジョブを受信する際にデータ通信インターフェイスの機能を果たすサブ基板１１ｂは、設定更新情報格納部５０、保持情報通知部５１、識別情報取得部５２、識別情報判定部５３、更新結果通知部５４、設定更新情報取得部５５を備える。一方、メイン基板１１ａは、識別情報格納部６０、保持情報受信部６１を備える。
【００４５】
また、外部機器であるＰＣ３０は、更新結果受信部７０、設定情報送信部７１を備える。
【００４６】
設定更新情報格納部５０は、設定更新情報取得部５５が外部機器から取得した設定更新情報と、更新対象となる画像処理装置の識別情報とを格納する。なお、設定更新情報を格納する際は、どの画像処理装置に対する設定更新情報であるかがわかるように更新対象となる画像処理装置の識別情報と、いずれの外部機器から取得してきたのかがわかるように外部機器の識別情報（ＩＰアドレス、メールアドレスなど）とを設定更新情報に関連付けて格納しておく。
【００４７】
設定更新情報は、画像処理装置１０の設定項目のうち外部機器からの遠隔変更が可能な設定項目の具体的な設定情報である。たとえば、画像処理装置１０において、紙詰まりや用紙切れが発生したときに、発生したことを電子メールなどで報知する報知先の情報、画像処理装置１０に割り当てられるＩＰアドレスの更新時に受信する新たなＩＰアドレスなどである。
【００４８】
識別情報取得部５２は、サブ基板１１ｂが画像処理装置１０に接続されたときにメイン基板１１ａの識別情報格納部６０から、メイン基板１１ａを識別するための情報を取得して記憶する。識別情報取得部５２は、また、省エネモードから通常モードに復帰したときに接続されているメイン基板１１ａから識別情報を取得する。
【００４９】
識別情報判定部５３は、省エネモード中に設定更新情報とともに格納されていた識別情報と、省エネモードからの復帰後に取得したメイン基板の識別情報とを比較し、一致すれば省エネモードに移行する前に接続されていたメイン基板と、省エネモードからの復帰後に接続されているメイン基板とが同じ基板であると判定する。一致しなければ、省エネモードに移行する前に接続されていたメイン基板と、省エネモードからの復帰後に接続されているメイン基板とが異なる基板であると判定する。
【００５０】
保持情報通知部５１は、識別情報判定部５３の判定後に、設定更新情報格納部５０に格納された設定更新情報を、メイン基板１１ａの保持情報受信部６１に送信する。
【００５１】
保持情報受信部６１は、保持情報通知部５１から送信される設定更新情報に基づいて設定の更新を行う。
【００５２】
更新結果通知部５４は、保持情報通知部５１が設定更新情報を、メイン基板１１ａの保持情報受信部６１に送信すると、当該設定更新情報の送信元である外部機器３０に対して更新結果を通知する。
【００５３】
送信元である外部機器３０では、更新結果受信部７０が画像処理装置１０から送られてくる更新結果を受信し、その内容をたとえば不図示の表示手段などに表示する。
【００５４】
次に、本実施の形態における画像処理装置１０の動作について、図面を使用しながら説明する。
【００５５】
図４は、省エネモードからの復帰時の画像処理装置１０のサブ基板１１ｂによる設定更新処理を示すフローチャートである。まず、ステップＳ１では画像処理装置１０の省エネモードから通常モードに復帰するか否かが判別される。このステップで省エネモードからの復帰が検出されると、ステップＳ２で識別情報取得部が装着しているメイン基板１１ａの識別情報格納部６０から識別情報を取得する。省エネモードからの復帰が検出されない場合は、ステップＳ１に戻って待機する。
【００５６】
ステップＳ３では、サブ基板１１ｂの設定更新情報格納部５０から、予め記憶されていた識別情報を取得する。ステップＳ４では、現在装着しているメイン基板１１ａの識別情報格納部６０から取得した識別情報と、サブ基板１１ｂが保持している識別情報とが一致するか否かを判断する。
【００５７】
２つの識別情報が一致する場合は、ステップＳ５で設定更新情報格納部５０に予め格納されている設定更新情報をメイン基板１１ａの保持情報受信部６１に送信する。そして、ステップＳ６では、設定更新情報の送信元である外部機器に対して、設定更新が完了したことを通知する。一方、識別情報が一致しない場合は、ステップＳ７で設定更新情報の送信元である外部機器に対して、設定更新が完了していないことを通知する。
【００５８】
この場合、送信元への通知に加えて、現在装着されている画像処理装置１０のユーザに対して、自機以外の画像処理装置に対する設定更新情報を保持していることを報知するように構成されることが好ましい。
【００５９】
これにより、本来更新されるべき画像処理装置へ設定更新情報を送信させたり、サブ基板１１ｂを取り外して本来更新されるべき画像処理装置へ装着させたり、ユーザに対して正常な更新を行えるよう促すことができる。
【００６０】
図５は、省エネモードからの復帰時の画像処理装置１０のメイン基板１１ａによる設定更新処理を示すフローチャートである。
【００６１】
ステップＳ１１では、サブ基板１１ｂの識別情報取得部５２の要求に応じて、識別情報格納部６０が識別情報をサブ基板１１ｂに送信する。
【００６２】
ステップＳ１２では、サブ基板１１ｂの保持情報受信部６１から設定更新情報を受信する。ステップＳ１３では、受信した設定更新情報に基づいて設定の更新を行う。
【００６３】
ステップＳ６，７における更新情報の通知については、通知先を選択することが可能である。図６は、更新結果の通知先を選択する際の選択画面８０を示す。
【００６４】
画像処理装置１０に備わる表示部（不図示）に、更新結果通知方法選択画面８０を表示させ、画像処理装置１０の管理者が更新結果通知方法を選択する。図６に示す更新結果通知方法選択画面８０の表示形態に限らず、画像処理装置１０が有するウェブページからも同様の設定項目を表示させる形態としても構わない。
【００６５】
更新結果通知方法選択画面８０には、下記（１）〜（４）の通知方法を選択するためのボタン８１〜８４を有し、選択項目を確定するためのＯＫボタン８５、選択項目をキャンセルするためのキャンセルボタン８６を有する。
【００６６】
設定更新元通知ボタン８１を選択すると、設定更新情報の送信元のＰＣなどに更新結果を通知する。
【００６７】
管理サーバ通知ボタン８２を選択すると、設定更新情報などをまとめて管理する管理サーバに対して更新結果を通知する。
【００６８】
ステータスモニタ通知ボタン８３を選択すると、画像処理装置１０のステータスを常時監視できるステータスモニタソフトを導入している外部機器に対して更新結果を通知する。
【００６９】
ステータスモニタソフトを導入している外部機器は、たとえばソフト導入時にサーバ４０に宛先とともに登録される。画像処理装置１０は、サーバ４０から登録されている外部機器のリストを取得し、更新結果を通知する際に各外部機器の宛先に通知する。
【００７０】
自動選択ボタン８４は、ネットワーク稼働状況に応じて、上記３つの通知方法からいずれか１つを選択して通知する。
【００７１】
ネットワークの稼動状況は、ｐｉｎｇコマンドを利用して、外部機器との通信状態を確認する。応答の有無および応答時間などから外部機器の稼動状況を推測することができる。
【００７２】
本発明の他の実施形態として、コンピュータを画像処理装置１０として動作させるための情報処理プログラムのプログラムコードおよびこの情報処理プログラムのプログラムコードを記録したコンピュータ読み取り可能な記録媒体を提供することも可能である。
【００７３】
なお、記録媒体としては、マイクロプロセッサで処理が行われるためのメモリ、たとえばＲＯＭそのものが記録媒体であってもよいし、また、コンピュータの外部記憶部としてプログラム読み取り装置が設けられ、そこに挿入することで読み取り可能な記録媒体であってもよい。
【００７４】
いずれの場合においても、記録されている情報処理プログラムのプログラムコードは、マイクロプロセッサが記録媒体にアクセスすることで実行されてもよいし、マイクロプロセッサが記録媒体から上記プログラムコードを読み出し、読み出されたプログラムコードをプログラム記憶エリアにダウンロードして、実行してもよい。なお、このダウンロード用のプログラムは予め所定の記憶装置に格納されているものとする。ＣＰＵなどのマイクロプロセッサは、インストールされた情報処理用プログラムに従って所定の更新処理を行うようにコンピュータの各部を統括的に制御する。
【００７５】
また、プログラム読み取り装置で読み取り可能な記録媒体としては、磁気テープ、カセットテープなどのテープ系、フレキシブルディスク、ハードディスクなどの磁気ディスクまたはＣＤ−ＲＯＭ（Compact Disc-Read Only Memory）／ＭＯ（Magneto Optical      disc）／ＭＤ（Min i Disc）／ＤＶＤ（Digital Versatile Disc）などの光ディスクのディスク系、ＩＣ（Integrated Circuit）カード（メモリカードを含む）／光カードなどのカード系、あるいはマスクＲＯＭ、ＥＰＲＯＭ（Erasable Programmable Read Only     Memory）、ＥＥＰＲＯＭ（Electrically Erasable Programmable Read Only Memory）、フラッシュＲＯＭなどの半導体メモリを含めた固定的にプログラムを記録する媒体であってもよい。
【００７６】
また、コンピュータを、インターネットを含む通信ネットワークに接続可能な構成とし、通信ネットワークから情報処理プログラムのプログラムコードをダウンロードするように流動的にプログラムを担持する媒体であってもよい。なお、このように通信ネットワークから情報処理プログラムをダウンロードする場合には、そのダウンロード用プログラムは予めコンピュータに格納しておくか、他の記録媒体からインストールされるものであってもよい。なお、本発明は、上記プログラムコードが電子的な伝送で具現化された、搬送波に埋め込まれたコンピュータデータ信号の形態でも実現される。
【００７７】
記録媒体から読み取った画像処理プログラムのプログラムコードを実行するコンピュータシステムの一例は、フラットベッドスキャナ、フィルムスキャナ、デジタルカメラなどの画像読取装置と、各種プログラムを実行することにより上記の画像処理方法を含めた様々な処理を行うコンピュータと、このコンピュータの処理結果などを表示するＣＲＴ（Cathode Ray Tube）ディスプレイ、液晶ディスプレイなどの画像表示装置と、コンピュータの処理結果を紙などに出力するプリンタなどの画像出力装置とが互いに接続されて構成されるシステムである。さらに、このコンピュータシステムには、通信ネットワークを介してサーバなどに接続し、情報処理プログラムを含む各種プログラムや画像データなどの各種データを送受信するためのモデムなどが備えられる。
【図面の簡単な説明】
【００７８】
【図１】本発明の実施形態である画像処理装置１０を含む通信システム１００の構成を示す図である。
【図２】画像処理装置１０の機能ブロック図である。
【図３】外部機器であるＰＣ３０の機能ブロック図である。
【図４】省エネモードからの復帰時の画像処理装置１０のサブ基板１１ｂによる設定更新処理を示すフローチャートである。
【図５】省エネモードからの復帰時の画像処理装置１０のメイン基板１１ａによる設定更新処理を示すフローチャートである。
【図６】更新結果の通知先を選択する際の選択画面８０を示す図である。
【符号の説明】
【００７９】
１０  画像処理装置
１１ａ  メイン基板
１１ｂ  サブ基板
２０  プリンタ
３０  ＰＣ
４０  サーバ
５０  設定更新情報格納部
５１  保持情報通知部
５２  識別情報取得部
５３  識別情報判定部
５４  更新結果通知部
５５  設定更新情報取得部
６０  識別情報格納部
６１  保持情報受信部
【図１】
2009015531.tif 000003
【図２】
2009015531.tif 000004
【図３】
2009015531.tif 000005
【図４】
2009015531.tif 000006
【図５】
2009015531.tif 000007
【図６】
2009015531.tif 000008